(57)【要約】【課題】この発明は、刈払い機の刃を草取り用の刃に替えるだけで草取りができる、刈払い機の草取り用替え刃を提供する。【解決手段】円形金属板を皿状に形成した刃板１の中心に機器機本体の回転軸５への装着孔２を設け、刃板１の装着孔中心の同心円上に、基部をコイル状にした弾発力を備えた鋼鉄線の爪３を地面側に向けて数本立設させ、爪が障害物に当たると爪が自由に動いて回避する移動孔４を設けて成る。【選択図】図１
2009011308.tif 000002
【特許請求の範囲】
【請求項１】
円形金属板を皿状に形成した刃板の中心に機器本体の回転軸への装着孔を設け、刃板の装着孔中心の同心円上に、強い弾発力を備えた鋼鉄線の爪を地面側に向けて数本立設させて成ることを特徴とする、刈払い機の草取り用替え刃。
【発明の詳細な説明】
【技術分野】
【０００１】  この発明は、刈払い機の刃を草取り用の刃に替て草取りができる、刈払い機の草取り用の替え刃に関するものである。
【背景技術】
【０００２】  従来、家庭菜園など小規模の畑地の除草機として、刈払い機の回転軸に草取り用のローターを取付けた中耕除草機（特許公開２０００−１６６３０６）や、刈払い機の刃を草取り用の刃に替え、地面を突起で掻いて除草する除草回転刃（実用新案公開平５−４８３１）があった。
【発明の開示】
【発明が解決しようとする課題】
【０００３】  上記の除草機にはそれぞれ次のような欠点があった。前者の中耕除草機は、刈払い機の回転軸に中耕除草専用のローターを取付けたもので、除草作業中に土壌からの反作用の力が抑制され安定して作業ができるが、ローターのカバーに土や除草した草などが詰まる欠点がある。また、刈払い機を草刈りと除草の両方に使用できないのが難点で、農家にとっては現在所有の刈払い機を草刈り以外の草取りにも使用できたら大変便利で経済的である。【０００４】  後者の除草回転刃は、刈払い機の刃を草取り用の刃に替えて簡単に除草が出来るが、図５・図６に示すように、弾力性を有しない除草回転刃の突起で地面を削ったり掻いたりするため、地面からの反作用の力を直接受け機器が振り回され、機器の抑制に作業者の肉体的負担が重くなるという問題点がある。【０００５】  また、前記のように除草回転刃の突起は弾力性を有しないため、小石など障害物に当たっても回転刃からの衝撃が緩和されず、小石や土・除草した雑草などは強い力で飛散し、育成中の作物を傷めたり安全性に問題がある。
【課題を解決するための手段】
【０００６】  この発明の目的は、上記の課題を解決する事であり、中耕による除草において、土壌からの反作用の力で機器が振り回され、その抑制のために要した作業者の肉体的負担を解消または軽減することができる、刈払い機の草取り用替え刃を提供する事である。【０００７】  また、中耕による除草で小石や土・除草した草などが周辺に飛散せず安全で、しかも刃体に絡まる雑草の根や茎が自然に外れ能率的な刈払い機の草取り用替え刃を提供する事である。【０００８】  この発明に係わる刈払い機の草取り用替え刃は、円形の金属板を皿状に形成した刃板の中心に機器本体の回転軸への装着孔を設け、刃板の装着孔中心の同心円上に、基部をコイル状にした弾発力を備えた鋼鉄線の爪を地面側に向けて数本立設させ、爪が障害物に当たると爪が自由に動いて回避する移動孔を設けて成ることを特徴とするものである。
【作用】
【０００９】  刈払い機の草取り用替え刃を機器本体に装着し、皿状の刃板の下部に立設した鋼鉄線の爪を地中に差し込んだ状態で回転させ除草地を移動させ除草するもので、鋼鉄線の爪は地中で渦巻き状に回転し土壌を中耕して除草をする。また、皿状の刃板は地面との接地面が皿状を成すため作業中に刃板が地面に食い込むのを防止し、作業が安定してできるものである。
【００１０】  中耕による除草では、中耕時の土壌からの反作用の力により機器が振れ回り、作業者の肉体的負担も大きくなるが、その軽減を図るために本発明の草取り用替え刃は、中耕時の土壌との抵抗を小さくし反作用の力を緩和するために、爪の太さを２〜３ｍｍと細くし、更に、爪が石などの障害物に当たった時の衝撃を小さくするために、弾発力の強い鋼鉄線を用い爪の基部をコイル状とした。以上のような構造によって機器の振れ回りが抑制され、作業者の肉体的負担が解消または軽減されるものである。
【００１１】  また、前記のように中耕する爪は、爪の基部がコイル状に形成され、太さが細く弾発力を備えているため、爪が地中で回転し小石など障害物に当たると爪は回避する。その事により小石や土が周辺に飛散するのが緩和され、育成中の作物等も傷める事なく安全に作業ができる。
【００１２】  更に、中耕によって爪に絡まった草の根や茎等は、爪の回転時の抵抗が大きくなると爪の弾発力の作用により、回転方向の土壌となす爪の角度が小さくなり自然にはずれ、機械を止めて手で取る必要も無く効率良く作業ができる。
【発明を実施するための最良の形態】
【００１３】  以下、本発明の実施の形態につて説明する。図１〜図３に示した実施例の刈払い機の草取り用替え刃は、円形金属板を皿状に形成した刃板１の中心に刈払い機本体の回転軸５への装着孔２を設け、刃板１の装着孔中心の同心円上に、基部をコイル状にした弾発力備えた鋼鉄線の爪３を地面側に向けて三本立設し、爪が障害物に当たると爪が自由に動いて回避する移動孔４を設けたものである。【００１４】  皿状に形成した刃板１は、除草作業中に刃板１が地面に食い込むのを防止し安定した作業を確保するもので、円形の金属板を皿状にプレス加工したものである。刃板１の直径は約１００ｍｍとする。【００１５】  また、土壌を中耕し草を取る鋼鉄線の爪３は、弾発力を備え太さ約２〜３ｍｍ、長さ約３０〜４０ｍｍで基部をコイル状にした鋼鉄線の爪で、図２に示すように、皿状の円形金属板の刃板１の下面に、装着孔中心の同心円上に等間隔に三本立設したものである。鋼鉄線の爪３の取り付け方法は、図４に示すように、刃板１に取付孔８を設けネジ止めする。【００１６】  そして、装着孔２を以て刈払い機本体の回転軸５に装着して使用するもので、草取り用替え刃の鋼鉄線の爪３を地中に差し込み、回転させたまま除草地を移動させ除草を行う。
【発明の効果】
【００１７】  以上のように本発明は、皿状の刃板に爪の基部をコイル状にした強い弾発力を備えた細い鋼鉄線を地面側に向け三本立設し、中耕する爪が小石などの障害物に当たると、爪が自由に動いて回避する構造としたものを刈払い機に装着して草取りをする時に、刃体の作りを強い弾発力を持った細い鋼鉄線を用い、基部をコイル状にする事によって、土壌の反作用による機器の振れ回りの問題が解消され、また、小石や土・除草した雑草等が周辺に飛散する問題や、除草した草の根が爪に絡まる問題についても、爪の持つ構造によって解消され、刈払い機の草取り用替え刃を使用する事によって、手軽に刈払い機を草取りに使うことができ大変経済的であり能率的で安全に除草作業ができる。
【図面の簡単な説明】
【図１】本発明の実施例の分解した斜視図である。
【図２】本発明の実施例の底面図である。
【図３】図２のＡ−Ｂの断面図である。
【図４】本発明の爪の取付状態の説明図（取付前の一部正面図）である。
【図５】従来の除草回転刃（後者のもの）の底面図で説明図である。
【図６】従来の除草回転刃、図５のＡ−Ｂの断面図で説明図である。
【符号の説明】
１  刃板
２  装着孔
３  鋼鉄線の爪（図５、図６の３は金属又はセラッミクの突起を示す。）
４  移動孔
５  回転軸
６  押さえ金具
７  ボルト
８  取付孔
９  ボルト
１０  ナット
【図１】
2009011308.tif 000003
【図２】
2009011308.tif 000004
【図３】
2009011308.tif 000005
【図４】
2009011308.tif 000006
【図５】
2009011308.tif 000007
【図６】
2009011308.tif 000008